(57)【特許請求の範囲】
【請求項１】
前方側及び後方側にそれぞれ開口部を有する本体枠と、該本体枠に取り付けられて前記開口部を開閉可能に塞ぐ蓋体を備え、
前記本体枠には、枠壁の前方側及び後方側の縁部より内側方向に向けて、断面コの字形を形成するように立上片がそれぞれ立ち上げられて、
前記枠壁と前方側及び後方側の立上片とによって囲まれた空間部が枠壁に沿って形成されており、
相互に間隔を開けて列設された複数のＬＥＤからなる照明装置を複数備え、
前記各照明装置からの光が、前記立上片に相対向するようにして本体枠に取り付けられた前記蓋体の表示部に透過されて表示が表されるようになされており、
前記枠壁と該枠壁より下方向へ向けて延設される各立上片とによって囲まれた前記空間部内に配置されるように前記枠壁に取り付けられた前記照明装置と、
前記枠壁と該枠壁より上方向へ向けて延設される各立上片とによって囲まれた前記空間部の外側に配置されるように前記枠壁との間に間隔を生じさせて該枠壁に取り付けられた前記照明装置とを備えていることを特徴とする内照式標識。
【発明の詳細な説明】
【技術分野】
【０００１】
本発明は、指示標識等として道路等に設置される内照式標識に関するものである。
【背景技術】
【０００２】
道路等に設置される道路標識や交通案内標識などにおいては、その表示内容を昼間のみならず夜間においても良好に視認できるように、表示内容を光で表す発光表示が可能なものが多く用いられており、種々の構成が提案されている。
【０００３】
例えば特許文献１には、正面側および背面側に開口を有する略筒状の箱体と、該箱体の両開口を塞ぐように設けられた半透光性の標示板と、該標示板に裏面側から照射する光を発する光源とを備え、前記光源は、標示板の周縁部の裏面側に位置するように前記箱体に内装され、前記箱体の内周面に、光拡散性を有する反射板が設けられたことを特徴とする内照式標示装置、が開示されている。
【先行技術文献】
【特許文献】
【０００４】
【特許文献１】特開２００６−１２５１４４号公報
【発明の概要】
【発明が解決しようとする課題】
【０００５】
しかしながら、特許文献１の如き内照式標示装置は、内部への浸水や、光源の故障などが起こった場合、内側部分の修理が難しいという問題点があった。
【０００６】
本発明は上記のような問題点を解決し、内部の補修などが簡単に実施できる内照式標識を提供するものである。
【課題を解決するための手段】
【０００７】
上記目的を達成するため、本発明は以下のような構成としている。
すなわち本発明に係る内照式標識は、前方側及び後方側にそれぞれ開口部を有する本体枠と、該本体枠に取り付けられて前記開口部を開閉可能に塞ぐ蓋体を備え、
前記本体枠には、枠壁の前方側及び後方側の縁部より内側方向に向けて、断面コの字形を形成するように立上片がそれぞれ立ち上げられて、
前記枠壁と前方側及び後方側の立上片とによって囲まれた空間部が枠壁に沿って形成されており、
相互に間隔を開けて列設された複数のＬＥＤからなる照明装置を備え、
前記各照明装置からの光が、前記立上片に相対向するようにして本体枠に取り付けられた前記蓋体の表示部に透過されて表示が表されるようになされており、
前記枠壁と該枠壁より下方向へ向けて延設される各立上片とによって囲まれた前記空間部内に配置されるように前記枠壁に取り付けられた前記照明装置と、
前記枠壁と該枠壁より上方向へ向けて延設される各立上片とによって囲まれた前記空間部の外側に配置されるように前記枠壁との間に間隔を生じさせて該枠壁に取り付けられた前記照明装置とを備えていることを特徴としている。
【０００８】
本発明に係る内照式標識によれば、
前方側及び後方側にそれぞれ開口部を有する本体枠と、この本体枠に取り付けて前記開口部を塞ぐ蓋体を備え、
前記本体枠に、枠壁の前方側及び後方側の縁部より内側方向に向けて、断面コの字形を形成するように立上片をそれぞれ立ち上げ、
前記枠壁と前方側及び後方側の立上片とによって囲まれた空間部を枠壁に沿って形成させ、
且つ前記空間部内に、相互に間隔を開けて列設させた複数のＬＥＤからなる照明装置を配置させて、
前記照明装置からの光を、前記立上片に相対向するようにして本体枠に取り付けた前記蓋体の表示部に透過させて表示を表すので、表示部の表示が夜間でも良好に視認できる。
また、前記開口部を開閉自在に塞ぐように前記蓋体を前記本体枠に取り付けるので、内照式標識内の照明装置の故障や、内部への浸水などが生じた場合に、蓋体を開いて修理や部品の交換などを容易に行なうことができる。
【発明の効果】
【０００９】
本発明に係る内照式標識によれば、内部の修理などが容易にできる。
【図面の簡単な説明】
【００１０】
【図１】本発明に係る内照式標識の実施の一形態を示す、（イ）は正面図であり、（ロ）は側面図であり、（ハ）は底面図である。
【図２】図１の内照式標識の蓋体を開いた状態を示す側面図である。
【図３】図１のＡ−Ａ断面図である。
【図４】図３の断面図において、蓋体を開いた状態を示す図である。
【図５】図１のＣ−Ｃ断面図である。
【図６】図１のＢ−Ｂ断面図である。
【図７】本発明に係る内照式標識の実施の他の一形態を示す断面図である。
【発明を実施するための形態】
【００１１】
本発明の実施の形態を図面に基づき具体的に説明する。
図面において、１は内照式標識である。
本実施形態の内照式標識１は、横断歩道の存在を示す五角形の指示標識に形成されており、前面側と後面側の二面にそれぞれ歩行者の図形が描かれた表示部４が設けられている。
【００１２】
内照式標識１は、前方と後方とにそれぞれ五角形の開口部２８を有する筒状の本体枠２と、この各開口部２８を塞ぐ２個の略板形状の蓋体３とを備えた中空箱形状に形成されている。
２個の蓋体３と、本体枠２とは、それぞれの下面に取り付けられて架け渡された蝶番Ｔによって固定されており、各蓋体３は本体枠２に開口部２８を開閉自在に取り付けられている。
図２は、図１の内照式標識１の蓋体３を開いた状態を示す側面図である。
また、本体枠２の上方側の２個の傾斜面には留め金Ｋ１がそれぞれ４個づつ合計８個取り付けられており、蓋体３の上方側の２個の傾斜面には係止具Ｋ２がそれぞれ２個づつ合計４個づつ取り付けられている。各留め金Ｋ１は蓋体３の係止具Ｋ２に係合可能に設けられており、係止具Ｋ２に係合されて本体枠２と蓋体３とに架け渡された留め金Ｋ１によって、蓋体３が本体枠２に固定されるようになされている。
そして、留め金Ｋ１と係止具Ｋ２との係合を解除したときに、蝶番Ｔを介した蓋体３の開閉ができるようになされている。
説明を後述するが、内照式標識１には照明装置５が内装されており、このように本体枠２と蓋体３とを取り付けることで、内照式標識１に内装させた照明装置５などの交換や修理など行う際に、蓋体３を開いて容易に作業できる。
【００１３】
各蓋体３は、板形状に形成された透光性を有する表示部４と、その全周を囲って取り付けられた五角形のリング状の蓋枠３１とを備えており、この蓋枠３１が本体枠２に当接するように蓋体３が取り付けられている。
【００１４】
図３は図１のＡ−Ａ断面図であり、図４は図３の断面図において蓋体３を開いた状態を示す図である。
本実施形態の本体枠２は、内照式標識１の側壁を構成する枠壁２１と、この枠壁２１の前方側及び後方側の縁部２４からそれぞれ垂直に延設されて筒の内側方向へ突出する２個の立上片２２とを備えた、断面コの字形状に形成されている。
本実施形態の本体枠２は、前記の断面形状に形成されたアルミニウム押出形材を曲げ加工して五角形の筒形状に形成させている。
【００１５】
前記の各立上片２２は、本体枠２の全周に亘って形成されており、その突出する先側の端には垂直に突出する突条２３が、立上片２２の縁に沿って本体枠２の全周に亘り形成されている。
具体的には、前記各突条２３は三本一組で等間隔に並設されており、本体枠２の前方側に設けられた立上片２２においては前方側へ、本体枠２の後方側に設けられた立上片２２においては後方側へそれぞれ突出するように形成されている。
【００１６】
三本一組で形成された突条２３には、その間に形成された二本の溝に嵌め込まれるようにして、パッキンＰが取り付けられている。
パッキンＰは、本体枠２の前方側及び後方側に設けられた各立上片２２にそれぞれ取り付けられて、本体枠２の全周に亘って設けられている。
尚、本実施形態の本体枠２においては、各立上片２２に突条２３を形成させパッキンＰを嵌め込んでいるが、パッキンＰの取付方法はこれに限るものではなく、立上片２２に接着するなど他の方法を用いて取り付けてもよい。
【００１７】
本実施形態の蓋体３のリング形状の蓋枠３１は、前記本体枠２の枠壁２１に対応する形状に形成された側壁３２と、側壁３２の縁から垂直に延設されてリングの内側方向へ突出する蓋縁部３３とを備えた、断面略Ｌ字形状に形成されている。
詳細には、側壁３２と蓋縁部３３とが構成するＬ字形状の内側において、側壁３２の内側面から垂直に延設された補強筒壁３４ａと、蓋縁部３３の内側面から垂直に延設された補強筒壁３４ｂとが交わり、Ｌ字形状の内側に四角形状の蓋中空部３４が形成されるように設けられている。
本実施形態の蓋枠３１は、前記の断面形状に形成されたアルミニウム押出形材を曲げ加工して五角形のリング形状に形成させている。
【００１８】
表示部４は、その縁の全周を蓋枠３１に囲われるようにして蓋枠３１に取り付けられている。
具体的には、表示部４は、蓋縁部３３と、補強筒壁３４ａにビス留めされて固定された取付金具３６に挟み込まれて、蓋枠３１に固定されている。
【００１９】
本体枠２の開口部２８を塞ぐようにして、蓋体３が本体枠２に取り付けられたとき、蓋枠３１の側壁３２が本体枠２の縁部２２に当接される。このとき、縁部２２に取り付けられたパッキンＰが本体枠２と蓋体３との隙間を塞ぎ、内照式標識１内への水やほこりなどの浸入を抑制させている。
【００２０】
本体枠２の前方側と後方側の開口部２８をそれぞれ蓋体３に塞がれて、中空箱形状に形成された内照式標識１は、その中空内に照明装置５が内装されている。そして、照明装置５が生ずる光が蓋体３に取り付けられた表示部４を透過して内照式標識１の外方へ発せられ、表示部４に形成された表示が夜間でも良好に視認できるようになされている。
【００２１】
図６は図１のＢ−Ｂ断面図である。
本実施形態の内照式標識１には、３個の照明装置５が内装されている。
各照明装置５は、矩形の棒形状に形成された支持体５２と、これに取り付けられた複数のＬＥＤ５１とを備え、各ＬＥＤ５１は支持体５２の長手方向に沿って等間隔に並設されている。
また、各ＬＥＤ５１は支持体５２の一方の面にのみに取り付けられ、それぞれ同一方向へ向けて発光するように設けられており、詳細には、各ＬＥＤ５１が照明装置５の長手方向の垂直方向へ向けてそれぞれ発光するように設けられている。
【００２２】
前記照明装置５は、その長手方向が五角形の内照式標識１の中の三つの辺に沿うように本体枠２の内周面に取り付けられている。
具体的には、３個の照明装置５は、五角形の筒状に形成された本体枠２の、上部に配置された２つの傾斜面の本体枠２にそれぞれ１個づつ取り付けられ、更に下面の本体枠２に１個取り付けられている。
より具体的には、本体枠２の２つの傾斜面にそれぞれ取り付けられた照明装置５は、本体枠２の枠壁２１の内周面に直接取り付けられており、本体枠２の下面に取り付けられた照明装置５は、本体枠２の枠壁２１の内周面に取り付けられた取付金具５５を介して取り付けられている。
本実施形態の取付金具５５は、金属板を曲げ加工して形成されており、これを介して取り付けられた照明装置５と本体枠２の内周面との間に、取付金具５５の高さ分の間隔が生じるように設けられている。
そして、各照明装置５は、取り付けられた本体枠２の内周面と逆方向へ向けて各ＬＥＤ５１が発光するように、設けられている。
【００２３】
尚、本実施形態の照明装置５に並設されたＬＥＤ５１には、所謂チップ型ＬＥＤが用いられている。一般にチップ型ＬＥＤは砲弾型ＬＥＤと比較して発する光の照射角度が大きいため、蓋体３に取り付けられた表示部４に対して、照明装置５に近い位置にも発する光を照射させることができ、表示部４全体に光を照射させることができる。
【００２４】
内照式標識１上部の２つの傾斜面の本体枠２にそれぞれ取り付けられた照明装置５は、図３、図４に示すように、枠壁２１の内周面に両面テープＲによって貼り付けられて、取り付けられている。
詳細には、照明装置５は、枠壁２１と、垂直に延設された２つの立上片２２とによって囲まれて形成される断面コの字形状の内側の空間部２５に収納されるように取り付けられている。
本実施形態の本体枠２の前記各傾斜面においては、各立上片２２が水平方向より下方向、即ち枠壁２１より下方向へ向けて延設されているため、本体枠２と蓋体３との間から雨水などが浸入してきた場合でも、その水は各立上片２２の下縁を伝って流れ落ち、空間部２５内へ入り込みにくくなされる。
このため、空間部２５内に収納された照明装置５へ水が接触しにくく、漏電などの問題の発生が抑制される。
【００２５】
図５は図１のＣ−Ｃ断面図である。
内照式標識１下面の本体枠２に取り付けられた照明装置５は、枠壁２１の内周面に取り付けられた取付金具５５の上端に取り付けられることで、枠壁２１と照明装置５との間に取付金具５５の高さ分の隙間が設けられている。
このため、本体枠２と蓋体３との間から浸入してきた雨水などが、内照式標識１下面の本体枠２のように、各立上片２２が水平方向より上方向、即ち枠壁２１より上方へ向けて延設される本体枠２の部分で空間部２５の内部に流れ落ちても、枠壁２１の内周面を流れる水が照明装置５へ接触しにくく、漏電などの問題が抑制される。
【００２６】
前記取付金具５５の高さは、枠壁２１より垂直に延設される各立上片２２の垂直高さより高く形成されており、取付金具５５に取り付けられた照明装置５が本体枠２の空間部２５の外側に位置するように設けられている。
また、図６に示すように、内照式標識１の下面において、本体枠２には、枠壁２１の内周面から外周面に貫通する水抜穴２６が形成されている。この水抜穴２６を通じて、本体枠２の空間部２５内に流れ落ちた水が、内照式標識１の外側へ流れ落ちるようになされているが、水抜穴２６が詰まるなどの要因により空間部２５内に水が溜まった場合でも、空間部２５の外側に位置するように取付金具２５に取り付られた照明装置５にこの水が接触しにくくなされ、漏電などの問題が抑制される。
【００２７】
図７は本発明に係る内照式標識１の実施の他の一形態を示す断面図である。
本実施形態の内照式標識１は、その下部に、下方の路面へ向けて光を発するための下部ライト部７を備え、この下部ライト部７の上部に照明装置５を取り付けて設けている点が、図１〜６の実施形態と異なる事項である。
【００２８】
具体的には、前記下部ライト部７は、発光方向を下方に向ける発光体７１と、この発光体７１を内装し下方以外へ発っせられた光を下方へ向けて反射させる反射体７２とが一組となった発光ユニット７３を備えている。そして、矩形の中空箱形状に形成され下方へ向けて開口するケース部７４の内部に、前記発光ユニット７３が三組収納されて取り付けられている。尚、この各発光ユニット７３は、その下端がケース部７４の開口より下方へ突出するように取り付けられている。
【００２９】
本実施形態の内照式標識１の本体枠２には、その下面の枠壁２１に、前記ケース部７４の開口に対応する形状の下開口部２９が形成されている。
下部ライト部７は、ケース部７４の下方への開口の位置をこの下開口部２９にあわせ、ケース部７４の開口の縁を枠壁２１の内周面に当接させて取り付け、内照式標識１の内部にケース部７４を収納させている。
【００３０】
本実施形態の内照式標識１には、図１〜６に示す実施形態と同様に、内照式標識１上部の２つの傾斜面の本体枠２にそれぞれ１個づつ照明装置５が取り付けられている。
そして、図１〜６に示す実施形態において、内照式標識１下面の本体枠２に取り付けられた照明装置５は、本実施形態では本体枠２の枠壁２１ではなく、下部ライト部７のケース部７４の上面に、取付金具５５を介して取り付けられている。
この取付金具５５を介して取り付けられた照明装置５は、本体枠２の空間部２５の外側に位置するように取り付けられているため、図１〜６の実施形態の内照式標識１と同様に、空間部２５の内部に流れ落ちたり、空間部２５内に水が溜まるような場合でも、照明装置５に水が接触しにくくなされ、漏電などの問題が抑制される。
【００３１】
図１〜６に示す実施形態や、図７に示す実施形態においては、内照式標識１の前方側と後方側に取り付けられた２個の蓋体３にそれぞれ表示部４が取り付けられているが、これに限るものではなく、前方側又は後方側のいずれか一方に表示部４が取り付けられていればよい。
【符号の説明】
【００３２】
１    内照式標識
２    本体枠
２１  枠壁
２２  立上片
２３  突条
２４  縁部
２５  空間部
２６  水抜穴
２８  開口部
３    蓋体
３１  蓋枠
３２  側壁
３３  蓋縁部
３４  蓋中空部
３４ａ  補強筒壁
３４ｂ  補強筒壁
３６  取付金具
４    表示部
５    照明装置
５１  ＬＥＤ
５２  支持体
５５  取付金具
７    下部ライト部
７１  発光体
７２  反射体
７３  発光ユニット
７４  ケース部
Ｐ    パッキン
Ｋ１  留め金
Ｋ２  係止具
Ｔ    蝶番
Ｓ    両面テープ
【図１】
0005779048.tif 000002
【図２】
0005779048.tif 000003
【図３】
0005779048.tif 000004
【図４】
0005779048.tif 000005
【図５】
0005779048.tif 000006
【図６】
0005779048.tif 000007
【図７】
0005779048.tif 000008